(57)【要約】【課題】長尺の粘着テープを巻回した場合でも、粘着テープ巻回体における粘着テープの巻回状態を安定化させることができる粘着テープ用巻芯を得る。【解決手段】粘着テープ用巻芯は、粘着テープをロール状に巻回する際の巻芯であって、外周表面及び／又は内周表面に、螺旋の少なくとも一部分の形状を有する凹部が形成されていることを特徴とする。前記粘着テープ用巻芯は、外周表面及び／又は内周表面に螺旋形状の凹部が形成された円筒状物を用いて作製することができる。前記凹部の深さは、該凹部が形成された部位における粘着テープ用巻芯の厚みが１ｍｍ以上となる深さであることが好ましく、凹部の幅は、０．１ｍｍ以上であることが好ましい。このような巻芯は、プラスチック製（特にポリオレフィン系樹脂製）であることが好適である。【選択図】      図１
2004300232.tif 000002
【特許請求の範囲】
【請求項１】
粘着テープをロール状に巻回する際の巻芯であって、外周表面及び／又は内周表面に、螺旋の少なくとも一部分の形状を有する凹部が形成されていることを特徴とする粘着テープ用巻芯。
【請求項２】
外周表面及び／又は内周表面に螺旋形状の凹部が形成された円筒状物を用いて作製されている請求項１記載の粘着テープ用巻芯。
【請求項３】
凹部の深さが、該凹部が形成された部位における粘着テープ用巻芯の厚みが１ｍｍ以上となる深さである請求項１又は２記載の粘着テープ用巻芯。
【請求項４】
凹部の幅が、０．１ｍｍ以上である請求項１〜３の何れかの項に記載の粘着テープ用巻芯。
【請求項５】
プラスチック製である請求項１〜４の何れかの項に記載の粘着テープ用巻芯。
【請求項６】
ポリオレフィン系樹脂製である請求項１〜５の何れかの項に記載の粘着テープ用巻芯。
【請求項７】
前記請求項１〜６の何れかの項に記載の粘着テープ用巻芯に、粘着テープを巻回して形成されていることを特徴とする粘着テープ巻回体。
【発明の詳細な説明】
【０００１】
【発明の属する技術分野】
本発明は、粘着テープをロール状に巻回する際に使用される粘着テープ用巻芯および該巻芯を使用した粘着テープ巻回体に関する。
【０００２】
【従来の技術】
粘着テープ巻回体（粘着テープ巻回物）は、粘着テープ用巻芯（単に「巻芯」と称する場合がある。）の外周面上に、粘着テープが巻回されており、前記巻芯としては、粘着テープの巻回後の残留応力等による変形や潰れを防止する為、硬くて丈夫なプラスチック製管状体（プラスチック管状物）や紙製管状体（紙管状物）が通常使用されている。このような巻芯のうち、堅牢なプラスチック管状物は、例えば、プラスチック押出管を輪切りにする方法や、プラスチックの射出成型方法などを利用して製造されている。また、堅牢な紙管状物は、例えば、紙製シートをロール状に巻き付け、且つ、巻層間を接着剤で固めて堅牢な紙管を製造し、これを必要に応じ輪切りする方法などを利用して製造されている（非特許文献１参照）。
【０００３】
また、粘着テープに使用できる巻芯として、細長い切欠部を円筒状コア（巻芯）の長手方向に沿って形成した巻芯（特許文献１参照）や、巻芯の外周部に直線上の溝を形成した巻芯（特許文献２参照）が提案されている。
【０００４】
なお、粘着テープ巻回体を製造するには、例えば、マンドレル（鉄芯）に巻芯を挿通し、マンドレルと巻芯との間を結着させ、マンドレルまたは巻芯を回転させて巻芯に粘着テープを巻取り、さらに必要に応じて、この巻取った粘着テープを巻芯と共に輪切りにし、さらにまた、マンドレルを抜き取って粘着テープ巻回体を得る方法が採用されている。
【０００５】
【非特許文献１】
「粘着ハンドブック（第２版）」、日本粘着テープ工業会、１９９５（平成７）年１０月１２日、ｐ．１８６−１８７
【特許文献１】
特開平３−２４３５７０号公報
【特許文献２】
米国特許第２６５９５４３号明細書
【０００６】
【発明が解決しようとする課題】
しかし、一般的に、堅牢な巻芯を使用した粘着テープ巻回体の場合、粘着テープが巻き絞めや残留応力に起因して縮まろうとすると、巻芯がその縮まりに対して抵抗するため、巻芯に接する粘着テープの縮まりが阻止され、その残留応力等により、粘着テープ巻回体の側面がテーパー状（タケノコ状）になり易い。
【０００７】
一方、特開平３−２４３５７０号公報や、米国特許第２６５９５４３号明細書に記載されている巻芯の場合も、粘着テープの巻回状態の安定化はある程度満足させることが可能であるが、例えば、長尺の粘着テープ（長さが１００ｍ以上の長尺の粘着テープなど）を巻回する場合には、粘着テープ巻回体の側面がテーパー状（タケノコ状）になる場合があり、さらなる改善が求められている。
【０００８】
従って、本発明の目的は、粘着テープ巻回体における粘着テープの巻回状態を安定化させることができる粘着テープ用巻芯および該巻芯を使用した粘着テープ巻回体を提供することにある。
本発明の他の目的は、長尺の粘着テープを巻回した場合でも、粘着テープの良好な巻回状態を安定に保持することができる粘着テープ用巻芯および該巻芯を使用した粘着テープ巻回体を提供することにある。
【０００９】
【課題を解決するための手段】
本発明者らは前記目的を達成するために鋭意検討した結果、巻芯の構造を特定の構造とすることにより、粘着テープ巻回体における粘着テープの巻回状態を効果的に安定化させることができ、例えば、巻回された粘着テープの巻き絞めや残留応力等により粘着テープに巻き絞まりが生じても、粘着テープ巻回体の側面がテーパー状（タケノコ状）になることを効果的に防止することができることを見出した。本発明はこれらの知見に基づいて完成されたものである。
【００１０】
すなわち、本発明は、粘着テープをロール状に巻回する際の巻芯であって、外周表面及び／又は内周表面に、螺旋の少なくとも一部分の形状を有する凹部が形成されていることを特徴とする粘着テープ用巻芯である。
【００１１】
前記粘着テープ用巻芯としては、外周表面及び／又は内周表面に螺旋形状の凹部が形成された円筒状物を用いて作製することができる。また、前記凹部の深さとしては、該凹部が形成された部位における粘着テープ用巻芯の厚みが１ｍｍ以上となる深さであることが好ましく、凹部の幅としては、０．１ｍｍ以上であることが好ましい。
【００１２】
このような粘着テープ用巻芯としては、プラスチック製（特に、ポリオレフィン系樹脂製）であることが好ましい。
【００１３】
本発明は、また、前記粘着テープ用巻芯に、粘着テープを巻回して形成されていることを特徴とする粘着テープ巻回体である。
【００１４】
【発明の実施の形態】
（巻芯）
本発明の粘着テープ用巻芯は、外周表面及び／又は内周表面に、螺旋の少なくとも一部分の形状を有する凹部が形成されている。具体的には、前記粘着テープ用巻芯に形成されている凹部の形状は、例えば、図１（ａ）で示されるように、１ピッチ以上（１周以上又は１回転以上）の螺旋形状を有していてもよく、また、図１（ｂ）で示されるように、１ピッチ未満（１周未満又は１回転未満）の螺旋形状を有していてもよい。なお、図１は本発明の粘着テープ用巻芯の例を示す概略斜視図である。具体的には、図１（ａ）は、１ピッチ以上の螺旋形状の凹部を有する粘着テープ用巻芯の例を示しており、図１（ｂ）は、１ピッチ未満の螺旋形状の凹部を有する粘着テープ用巻芯の例を示している。図１（ａ）〜（ｂ）において、１ａは粘着テープ用巻芯（巻芯）、２ａは１ピッチ以上の螺旋形状を有する凹部を示しており、また１ｂは巻芯、２ｂは１ピッチ未満の螺旋形状を有する凹部を示している。巻芯１ａの外周表面には、１ピッチ以上の螺旋形状を有する凹部２ａが形成されており、巻芯１ｂの外周表面には、１ピッチ未満の螺旋形状を有する凹部２ｂが形成されている。
【００１５】
このような巻芯（１ａ，１ｂ）において、螺旋形状の凹部（２ａ，２ｂ）が形成された部位には、図２に示されるように、薄皮部３が形成されていることになる。図２は、図１（ａ）又は（ｂ）で示される巻芯の要部を拡大した概略断面図である。図２において、３は薄皮部（薄層部）であり、１ａ、１ｂ、２ａ、２ｂは前記に同じである。
【００１６】
このように、本発明の巻芯では、その外周表面や内周表面に、螺旋の少なくとも一部分の形状を有する凹部が形成されているので、経時や加熱促進などで、巻芯に巻回された粘着テープの巻き絞めや残留応力などによって、粘着テープ（特に、粘着テープ基材）に収縮が生じると、図３に示されるように、巻芯に、その外周表面や内周表面に螺旋形状の凹部が形成された部位の底部側にあたる薄皮部が、引き伸ばされて、スパイラル状（螺旋状）に変形し、前記粘着テープの収縮に追従して、巻芯に巻回されている粘着テープはさらに巻き絞まることができ、これにより、粘着テープの巻き絞まり力を消滅させることができる。
【００１７】
なお、図３は、本発明の巻芯における螺旋形状の凹部の底部側に形成されている薄皮部が、変形する状態を示す概略図である。具体的には、図３（ａ）は、粘着テープを巻回する前の巻芯を示しており、図３（ｂ）は、粘着テープを巻回した後、巻回された粘着テープの巻き絞まり力により、巻芯の外周表面の螺旋形状の凹部における底部側の薄皮部で変形が生じている状態を示している。なお、図３（ｂ）では、説明を容易にするため、粘着テープを図示していないが、粘着テープ巻芯の外周上に粘着テープが巻回されているものとする。図３（ａ）〜（ｂ）において、１は巻芯、２は螺旋形状の凹部、ｘ、ｙは、それぞれ、凹部の側面における巻芯の外周表面上の部位を示している。図３（ａ）では、部位ｘと部位ｙとは、凹部２を挟んで、対面する位置関係を有しており、部位ｘと部位ｙとの距離は、凹部２の幅と同じ大きさとなっている。一方、図３（ｂ）では、部位ｘと部位ｙとは、外周表面に螺旋形状の凹部２が形成された部位の底部側の薄皮部が、引き伸ばされて、スパイラル状（螺旋状）に変形することにより、凹部２を挟んで、対面する位置関係がずれており、部位ｘと部位ｙとの距離は、凹部２の幅よりも大きくなっている。
【００１８】
従って、巻芯に巻回された粘着テープに巻き絞めや残留応力などにより巻き絞まり力が生じていても、巻芯の凹部の底部側に形成されている薄皮部がその変形により、前記巻き絞まり力を吸収することができるので、巻回された粘着テープは良好な巻回状態が安定的に保持されている。具体的には、例えば、長尺の粘着テープ［具体的には、１００ｍ以上（好ましくは２００ｍ以上）の長尺の粘着テープ（その長さの上限としては１０００ｍ程度であることが望ましい）］を用いて巻芯に巻回した場合などで、巻回された粘着テープに大きな巻き絞まり力が生じていても、粘着テープ巻回体の側面がテーパー状（タケノコ状）になる（粘着テープ巻回体にテレスコープが生じる）ことが効果的に防止されている。
【００１９】
また、外気温の変化による粘着テープ巻回体に収縮や膨張が生じても、上記巻芯の凹部における底部側の薄皮部が伸び縮みして、粘着テープの収縮や膨張に追従し、外気温の変化により、粘着テープ巻回体の側面がテーパー状になることも防止できる。
【００２０】
巻芯を構成する材質としては、特に制限されず、プラスチック材、紙材等の各種材料や、これらの混合物など、いずれであってもよいが、外周表面又は内周表面に螺旋形状の凹部（溝部）を形成するときの形成の容易さ、強度の点からはプラスチック材が好ましい。すなわち、巻芯は、プラスチック製であることが好ましい。このようなプラスチック材としては、例えば、ポリエチレン、ポリプロピレン、エチレン−プロピレン共重合体、エチレン−酢酸ビニル共重合体等のオレフィン系樹脂；ポリスチレン、アクリロニトリル−ブタジエン−スチレン共重合体（ＡＢＳ樹脂）、アクリロニトリル−スチレン共重合体（ＡＳ樹脂）等のスチレン系樹脂；ポリカーボネート等のポリカーボネート系樹脂；ポリ塩化ビニル等のポリ塩化ビニル系樹脂；ポリアミド等のアミド系樹脂；ポリエチレンテレフタレート等のポリエステル系樹脂；フェノール樹脂；アクリル系樹脂；メタクリル系樹脂；エポキシ系樹脂；フッ素系樹脂；ガラス繊維強化樹脂（ＦＲＰ）などが挙げられる。もちろん、これらのプラスチック材は単独で構成されていてもよく、２種以上組み合わせられた混合物により構成されていてもよい。
【００２１】
巻芯の材質としては、プラスチック材の中でも、強度と柔軟性とのバランスや、粘着テープの残留応力による作用が巻芯に効率的に働き、タケノコ状（テーパー状）の発生による変形防止を効果的に防止する観点からは、ポリオレフィン系樹脂（特に、ポリエチレン、ポリプロピレン、エチレン−プロピレン共重合体や、これらの２種以上の混合樹脂など）が好ましい。すなわち、巻芯は、ポリオレフィン系樹脂製であることが好ましい。
【００２２】
巻芯には、その外周表面や内周表面に、凹部（溝部）が形成されている。このような凹部の形状としては、前述のように、螺旋の少なくとも一部分の形状を有していればよく、連続的に形成された螺旋形状の凹部、非連続的に形成された螺旋形状の凹部のいずれであってもよい。また、巻芯は、螺旋の少なくとも一部分の形状を有する凹部を、単数又は複数有していてもよい。
【００２３】
凹部の深さや幅については、特に限定するものではなく、使用する巻芯の厚さなどに応じて適宜決定することができる。具体的には、螺旋形状の凹部を形成した部位（連結部）における巻芯の厚みが、巻芯の強度を極端に低下させない程度に残っている厚さを有していればよい。例えば、凹部の深さとしては、該凹部が形成された部位における巻芯の厚みが１ｍｍ以上となる深さであってもよい。より具体的には、例えば、巻芯の厚さが４ｍｍである場合、凹部の深さは最大３ｍｍ程度（連結部の厚み１ｍｍ）であることが好ましく、巻芯の厚さが１５ｍｍである場合、凹部の深さは最大１４ｍｍ程度（連結部の厚み１ｍｍ）であることが好ましい。また、例えば、巻芯の厚さが２ｍｍである場合、凹部の深さは最大１．０ｍｍ程度（連結部の厚み１．０ｍｍ）であることが好ましい。
【００２４】
一方、凹部の幅としては、例えば、０．１ｍｍ以上（好ましくは０．５ｍｍ以上、さらに好ましくは１ｍｍ以上）の範囲から選択することができる。なお、凹部の幅の上限としては、特に制限されないが、例えば、３ｍｍ以下（好ましくは２ｍｍ以下、さらに好ましくは１．５ｍｍ以下）の範囲から選択することができる。
【００２５】
また、螺旋形状の凹部における間隔（ピッチ）としては、特に限定されず、巻芯の材質、長さ（幅）、内径や外径などにより適宜決定することができる。
【００２６】
凹部の断面形状としては、特に制限されず、いずれの形状であってもよく、例えば、箱型、Ｕ字型、Ｖ字型などが挙げられる。
【００２７】
巻芯は、螺旋形状の凹部が、外周表面、内周表面、又は両表面の何れかに形成されていればよく、特に、外周表面に形成されていることが好ましい。なお、図４〜５は、外周表面に螺旋形状の凹部が形成されている巻芯の例を示す概略斜視図である。具体的には、図４（ａ）は、連続的な螺旋形状の凹部を有する粘着テープ用巻芯の例を示す概略斜視図であり、図４（ｂ）は、図４（ａ）に係る粘着テープ用巻芯の概略断面図である。また、図５（ａ）は、全体的には螺旋形状であるが非連続な形状の凹部を有する粘着テープ用巻芯の例を示す概略斜視図であり、図５（ｂ）は、図５（ａ）に係る粘着テープ用巻芯の概略断面図である。図４〜５において、１ｃは巻芯、２ｃは連続的な螺旋形状の凹部、１ｄは巻芯、２ｄは全体的には螺旋形状であるが非連続な形状の凹部である。巻芯１ｃの外周表面には、連続的な螺旋形状の凹部２ｃが形成されており、巻芯１ｄの外周表面には、全体的には螺旋形状であるが非連続な凹部（断続的な凹部）が形成されている。このように、巻芯の外周表面及び／又は内周表面に形成される螺旋形状の凹部は、連続的な螺旋形状の凹部となっていてもよく、全体的には螺旋形状であるが非連続な凹部（断続的な凹部）となっていてもよい。
【００２８】
巻芯の厚さ（凹部が形成されていない部位における厚さ）は特に限定されないが、通常２ｍｍ以上（例えば、２〜２０ｍｍ）、好ましくは３〜１５ｍｍ程度である。
【００２９】
なお、巻芯の径としては、特に制限されず、例えば、巻芯の外径（凹部が形成されていない部位における外径）としては、例えば、２０〜１２０ｍｍ（好ましくは８０〜１１０ｍｍ、さらに好ましくは８０〜１００ｍｍ）の範囲から選択することができる。また、巻芯の内径（凹部が形成されていない部位における内径）としては、例えば、１０〜１００ｍｍ（好ましくは２０〜８０ｍｍ、さらに好ましくは３０〜７０ｍｍ）の範囲から選択することができる。
【００３０】
なお、巻芯には、外周面上に、粘着フィルム層が形成されていてもよい。粘着フィルムを用いることにより、巻芯の外周面をより一層平滑にすることができる。また、巻芯には、内周面側に、特開２００１−１２２５２４号公報に記載の捨てテープや補助芯（例えば、薄い紙管など）が設けられていてもよい。
【００３１】
巻芯の強度、厚さ、硬さなどは、粘着テープの巻回長さや材質などにより適宜選択することができる。巻芯は、単層、積層体のいずれの構成を有していてもよい。
【００３２】
巻芯としては、外周表面及び／又は内周表面に螺旋形状の凹部が形成された円筒状物を用いて作製することができる。具体的には、巻芯としては、例えば、プラスチック材料を押出成型等の成型手段を用いて円筒状に成型加工した後、該円筒状物の外周表面及び／又は内周表面に、螺旋形状の凹部を旋盤等の切削加工手段を用いて形成する方法や、螺旋形状の凹部を形成したシート状物をマンドレルに巻き付け端部を加熱溶融させて融着させる方法を利用して製造することができる。
【００３３】
なお、必要に応じて、さらに、螺旋形状の凹部を有する円筒状物を仕様幅（又は所定の幅）に切断してもよく、また、この切断は、巻芯に粘着テープを巻回した後であってもよい。
【００３４】
（粘着テープ巻回体）
本発明の粘着テープ巻回体は、前記巻芯に粘着テープを巻回して形成されている。粘着テープ巻回体の製造方法としては、前記巻芯が用いられていれば特に制限されず、公知乃至慣用の製造方法を利用することができる。例えば、前記巻芯を、粘着テープ巻回体製造装置のマンドレルに挿通固定した後、マンドレルの回転により、巻芯の外周面上に粘着テープ原反を巻き取り、必要に応じて、仕様幅（又は所定の幅）に切断することにより、粘着テープ巻回体を製造することができる。
【００３５】
なお、粘着テープとしては、特に制限されず、如何なる形態の粘着テープ（例えば、基材の一方の面のみに粘着剤層が形成されている粘着テープ、基材の両面に粘着剤層が形成されている両面粘着テープ、基材を有していない両面粘着テープなど）であっても用いることができる。もちろん、粘着テープの粘着面は、剥離ライナーにより保護されていてもよく、基材の背面に形成された剥離処理面により保護されていてもよい。
【００３６】
【発明の効果】
本発明の粘着テープ用巻芯によれば、前記構成を有しているので、粘着テープ巻回体における粘着テープの巻回状態を安定化させることができる。また、長尺の粘着テープを巻回した場合でも、粘着テープの良好な巻回状態を安定に保持することができる。
【００３７】
【実施例】
以下に、実施例に基づいて本発明をより詳細に説明するが、本発明はこれらの実施例により限定されるものではない。なお、以下において部とあるのは、重量部を意味する。
（実施例１）
ポリエチレンを原料とし、これを押出成型にて円筒状の成型物（厚さ：４．０ｍｍ、外径：８４．５ｍｍ、長さ：１４００ｍｍ）のを製造した。この円筒状の成型物の外周表面に、螺旋状の凹部（溝部）［幅：１．０ｍｍ、深さ：３．０ｍｍ、凹部の底部側における円筒状の成型物の厚さ（連結部の厚さ）：１．０ｍｍ、ピッチ：５０ｍｍ］を切削加工にて形成して、外周表面に螺旋形状の凹部を有する巻芯を製造した。
【００３８】
前記巻芯の外周面上に、粘着テープ（商品名「Ｎｏ．３３Ｔ」日東電工株式会社製）を２２０ｍ巻き取り、その後、１５ｍｍ幅に切断して、粘着テープ巻回体を製造した。
【００３９】
（実施例２）
実施例１と同様にして円筒状の成型物（ポリエチレン製；厚さ４．０ｍｍ、外径：８４．５ｍｍ、長さ：１４００ｍｍ）を製造し、その外周表面に、螺旋状の凹部（溝部）［幅：０．１ｍｍ、深さ：３．０ｍｍ、凹部の底部側における円筒状の成型物の厚さ（連結部の厚さ）：１．０ｍｍ、ピッチ：６０ｍｍ］を旋盤による切削加工にて形成して、外周表面に螺旋形状の凹部を有する巻芯を製造した。
【００４０】
前記巻芯の外周面上に、粘着テープ（商品名「Ｎｏ．３３Ｔ」日東電工株式会社製）を２２０ｍ巻き取り、その後、１５ｍｍ幅に切断して、粘着テープ巻回体を製造した。
【００４１】
（比較例１）
実施例１と同様にして円筒状の成型物（ポリエチレン製；厚さ４．０ｍｍ、外径：８４．５ｍｍ、長さ：１４００ｍｍ）を製造し、その外周表面に、円筒状の成型物の幅方向に沿って直線状に凹部（溝部）（幅：１ｍｍ、深さ：３．０ｍｍ）を、切削加工にて２本形成して、外周表面に幅方向に直線の形状の凹部を有する巻芯を製造した。
【００４２】
前記巻芯の外周面上に、粘着テープ（商品名「Ｎｏ．３３Ｔ」日東電工株式会社製）を２２０ｍ巻き取ったところ、数分後に巻芯が潰れてしまい、所定幅への切断ができず、所定幅の粘着テープ巻回体を製造できなかった。
【００４３】
（比較例２）
巻芯として、厚さ：６ｍｍの紙管（凹部は形成されていない）を使用したこと以外は実施例１と同様にして粘着テープ巻回体を製造した。
【００４４】
（比較例３）
巻芯として、厚さ：６ｍｍの紙管（凹部は形成されていない）の表面に、ポリエチレン製発泡体層（厚さ：約１ｍｍ）が積層された管状物を使用したこと以外は実施例１と同様にして粘着テープ巻回体を製造した。
【００４５】
（比較例４）
巻芯として、ポリエチレンを原料とし、これを押出成型にて円筒状の成型物（厚さ：４．０ｍｍ、外径：８４．５ｍｍ、長さ：１４００ｍｍ）を用いたこと以外は実施例１と同様にして粘着テープ巻回体を製造した。
【００４６】
（評価）
実施例１〜２および比較例１〜４により得られた粘着テープ巻回体を、各々２０巻づつ用意し、常温（２３℃）と、４０℃との雰囲気下に、各々１０巻づつ３日間放置した後、目視で、粘着テープ巻回体の形状（粘着テープ巻回体全体の形状）を観察し、粘着テープ巻回体の側面の変形の有無について評価した。具体的には、テーパー状（テレスコープ状）となっていないか、または、テーパー状（テレスコープ状）となっているかについて観察して、粘着テープ巻回体の側面の変形が生じている割合を求めた。評価結果は、表１の「テーパー状発生割合（％）」の欄に示した。
【００４７】
【表１】
2004300232.tif 000003
【００４８】
表１より明らかなように、実施例１や２に係る巻芯（すなわち、外周表面に螺旋形状の凹部を有する巻芯）を用いると、２２０ｍという長尺の粘着テープを巻回しても、粘着テープ巻回体の側面がテーパー状（テレスコープ状）とならず、元のままの形状を保持することができる。
【００４９】
一方、比較例１に係る巻芯は、巻き取り後に、数分で巻芯に潰れが生じてしまい、所定幅への切断さえできなかった。また、比較例２〜４に係る巻芯は、外周表面上には、如何なる形状の凹部も形成されておらず、巻回された粘着テープの残留応力等による巻絞まり力によって、粘着テープ巻回体の側面がテーパー状となっている（粘着テープ巻回体がテレスコープ状になっている）。
【図面の簡単な説明】
【図１】本発明の粘着テープ用巻芯の例を示す概略斜視図である。
【図２】図１（ａ）又は（ｂ）で示される巻芯の要部を拡大した概略断面図である。
【図３】本発明の巻芯における螺旋形状の凹部の底部側に形成されている薄皮部が、変形する状態を示す概略図である。
【図４】外周表面に螺旋形状の凹部が形成されている巻芯の例を示す概略斜視図である。
【図５】外周表面に螺旋形状の凹部が形成されている巻芯の例を示す概略斜視図である。
【符号の説明】
１，１ａ〜１ｄ  粘着テープ用巻芯（巻芯）
２  螺旋形状の凹部
２ａ  １ピッチ以上の螺旋形状を有する凹部
２ｂ  １ピッチ未満の螺旋形状を有する凹部
２ｃ  連続的な螺旋形状の凹部
２ｄ  全体的には螺旋形状であるが非連続な凹部
３  薄皮部（薄層部）
ｘ  凹部の側面における巻芯の外周表面上の部位
ｙ  凹部の側面における巻芯の外周表面上の部位
【図１】
2004300232.tif 000004
【図２】
2004300232.tif 000005
【図３】
2004300232.tif 000006
【図４】
2004300232.tif 000007
【図５】
2004300232.tif 000008